(57)【特許請求の範囲】
【請求項１】
上シェルと下シェルを重ね合わせた内部の空間に、記録媒体としてのディスクを収納し、上記下シェルに上記ディスクの一部を露出させるための開口部が設けられると共に、上記開口部を開閉するためのシャッタがスライド自在に設けられたディスクカートリッジにおいて、
上記シャッタは、上記開口部を覆うシャッタ部と該シャッタ部につながる垂直部分と該垂直部分につながるガイド部が断面略コの字形状に形成され、上記シャッタのガイド部は、上記上シェルの内部に該シェルの底面と平行な方向に形成された第一のガイド面と、上記下シェルの内部に該シェルの底面と平行な方向に形成された第一のガイド面とで挟まれ、
上記シャッタの垂直部分は、上記下シェルの内部に上記シャッタのスライド方向に平行な方向に延びて形成された第二のガイド面と、上記上シェルの内部に該上シェルの側面と平行な方向に形成された第二のガイド面とで挟まれていることを特徴とするディスクカートリッジ。
【請求項２】
上記開口部は、下シェルの底面と、該下シェルの第二のガイド面を有する側面とに連続的に形成されていることを特徴とする請求項１に記載のディスクカートリッジ。
【請求項３】
上記下シェルの第二のガイド面は、ディスクカートリッジ外形より中央部側に入り込むように設けられていることを特徴とする請求項１に記載のディスクカートリッジ。
【請求項４】
上記シャッタの垂直部分に、ディスクカートリッジ外形方向に突出し、該シャッタの開閉に使用される突起部が設けられていることを特徴とする請求項１に記載のディスクカートリッジ。
【請求項５】
上記上シェルの第一のガイド面に当接する当接面が下シェルに設けられているか、又は上記下シェルの第一のガイド面に当接する当接面が上シェルに設けられていることを特徴とする請求項１に記載にディスクカートリッジ。
【請求項６】
上記当接面は、下シェルに設けられているときには、下シェルに設けた第一のガイド面から連続的に設けられている一方、上シェルに設けられているときには、上シェルに設けた第一のガイド面から連続的に設けられていることを特徴とする請求項５に記載のディスクカートリッジ。
【請求項７】
上記シャッタが、２枚構成であることを特徴とする請求項１に記載のディスクカートリッジ。
【請求項８】
上記シャッタが開口部を閉じた時に、該シャッタの移動をロックするロックレバーが設けられ、
上記ロックレバーは、上記シャッタを上シェル側に付勢する方向にロックすることを特徴とする請求項１に記載のディスクカートリッジ。
【請求項９】
上記シャッタが開口部を閉じる方向に付勢するための付勢力を与えるバネが設けられていることを特徴とする請求項１に記載のディスクカートリッジ。
【発明の詳細な説明】
【０００１】
【発明の属する技術分野】
本発明は、記録媒体として光ディスク等のディスクを収納したディスクカートリッジに関するものである。
【０００２】
【従来の技術】
従来のディスクカートリッジのうち、上下シェルの何れか一方にのみ光ディスクを露出させるための開口部が設けられたカートリッジについて、図１７（ａ）〜（ｃ）、図１８（ａ）（ｂ）、図１９および図２０（ａ）（ｂ）を参照しながら以下に説明する。
【０００３】
図１７（ａ）は、ディスクカートリッジの平面図、同図（ｂ）は底面図、同図（ｃ）は、側面図であり、いずれもシャッタが閉じた状態を示している。
【０００４】
ディスクカートリッジ（以下、カートリッジと称する）１０２は、上シェル１０３、下シェル１０４、シャッタ１０７およびロックレバー１０８等から構成されており、カートリッジ１０２内には、情報信号が記録される光ディスク１０１が回転可能に収納されている。
【０００５】
上記下シェル１０４には、図１７（ｃ）に示すように、情報信号の記録あるいは再生を行うピックアップユニット１２７（図２０（ｂ）参照）が臨む第一の開口部１０５（点線）と、光ディスク１０１を回転保持するスピンドルモータ（図示せず）が臨む第二の開口部１０６とを有している。
【０００６】
上記カートリッジ１０２は、図２０（ａ）（ｂ）に示すように、光ディスク記録再生装置１２０に装着され、情報の記録再生が行われる。図２０（ａ）は、光ディスク記録再生装置１２０のカートリッジホルダ１２２にカートリッジ１０２が挿入された状態の平面図、同図（ｂ）は、その側面図を示している。
【０００７】
上記カートリッジ１０２の光ディスク記録再生装置１２０のカートリッジホルダ１２２への挿入が完了した状態では、カートリッジホルダ１２２に設けられ、シャッタ１０７を開閉するためのバネ性を有したオープンレバー１２４の先端に設けられた突起部１２４ａが、シャッタ垂直部分１０７ｂに設けられた穴部１０７ｆに入り込むことにより該位置にてシャッタ１０７を保持するため、開口部１０５が開口し、ピックアップユニット１２７が光ディスク１０１にアクセス可能となる。
【０００８】
ここで、シャッタ１０７の構成について、図１７（ａ）〜（ｃ）を参照しながら以下に説明する。
【０００９】
シャッタ１０７は、上下シェル１０３・１０４に設けられた第一の開口部１０５を遮蔽するシャッタ部１０７ａと、該シャッタ部１０７ａにつながるシャッタ垂直部分１０７ｂとによって、断面略コの字形状に形成されている。
【００１０】
さらに、シャッタ１０７は、シャッタ垂直部分１０７ｂにつながり、シャッタ部１０７ａに平行なガイド部１０７ｃと、開閉の際のガイドおよび抜け止めとなるツメ部１０７ｅの部分と、後述するロックレバー１０８にロックされるシャッタロック部１０７ｄを有した構成となっている。
【００１１】
上記ガイド部１０７ｃとツメ部１０７ｅは、下シェル１０４に設けたガイド溝１０４ｄをスライドするように組み付けられており、シャッタ１０７のカートリッジ１０２からの外れ防止とスライドの際のガイドの役目を行っている。
【００１２】
また、カートリッジ１０２の厚み方向のシャッタ１０７の保持は、シャッタ１０７のシャッタ部１０７ａとガイド部１０７ｃがカートリッジ１０２をはさみ込むことによって行っている。
【００１３】
上シェル１０３と下シェル１０４のシャッタ垂直部分１０７ｂがスライドする側面には、ロックレバー１０８がのぞくと共に、前記ガイド部１０７ｃ、シャッタロック部１０７ｄおよび後述するシャッタロック解除部材１２３（図１８（ａ）（ｂ）参照）が通過する為の、空間１１０が設けられている。
【００１４】
上記構成のカートリッジ１０２は、シャッタ１０７が閉じた状態では、ロックレバー１０８により、シャッタロック部１０７ｄはロックされており、後述するような方法で、ロックを解除しながら、カートリッジ１０２全体を光ディスク記録再生装置１２０（図２０（ａ）（ｂ）参照）に装着し、情報の記録再生を行うものである。
【００１５】
次に、図１８（ａ）（ｂ）および図２０（ａ）（ｂ）を参照しながら、カートリッジホルダ１２２にカートリッジ１０２を挿入する場合の動作について説明する。
【００１６】
今、カートリッジホルダ１２２が光ディスク記録再生装置１２０のメインシャーシ１２１から上がった状態で、カートリッジ１０２を挿入した場合、まず、カートリッジホルダ１２２に設けられたシャッタ１０７開閉用のバネ性を有したオープンレバー１２４の先端に設けられた突起部１２４ａがシャッタ１０７のシャッタ垂直部分１０７ｂに乗り上げ、シャッタ垂直部分１０７ｂを移動していく。
【００１７】
そして、カートリッジホルダ１２２に設けられたシャッタロック解除部材１２３が、カートリッジ１０２のロックレバー１０８を解除し、その後、前記シャッタロック解除部材１２３がシャッタ１０７に当接すると同時に、前記オープンレバー１２４の突起部１２４ａがバネ力により、シャッタ１０７のシャッタ垂直部分１０７ｂに設けた穴部１０７ｆに、入り込み、シャッタ１０７をカートリッジホルダ１２２の所定の位置で保持する。
【００１８】
その後、カートリッジ１０２の押し込み動作にて、該カートリッジ１０２本体は奥へ挿入されるが、シャッタ１０７はその位置で保持されているので、相対的にシャッタ１０７が開くことになる。
【００１９】
閉まる場合は、前記突起部１２４ａがシャッタ１０７の穴部１０７ｆに入り込んでいる為、カートリッジ１０２は挿入方向と反対方向に引き抜かれてもシャッタ１０７はその位置で保持され、シャッタ１０７がカートリッジ１０２の閉の位置にきた時に、前記シャッタロック解除部材１２３がシャッタ１０７から遠ざかり、ロックレバー１０８によってシャッタ１０７がロックされる。この状態でさらにカートリッジ１０２が引き抜かれると、突起部１２４ａがシャッタ１０７の穴部１０７ｆから乗り上げるようになるので、その後、カートリッジ１０２全体がカートリッジホルダ１２２から引き抜かれる。
【００２０】
しかしながら、上記構成のカートリッジ１０２では、次のような問題点があった。図１７（ａ）〜（ｃ）及び図１９に示すように、シャッタ１０７をガイドするガイド溝１０４ｄはカートリッジ１０２の片面、たとえば、底面に設けられていることから、第一の開口部１０５のエリアは該ガイド溝１０４ｄを避けて形成する必要があったカートリッジ１０２の底面内に収める必要があった。すなわち、カートリッジ１０２の端面と第一の開口部１０５との間に、シャッタのツメ部１０７ｅガイド部１０７ｃをガイドし、抜けないように保持する為のガイド溝１０４ｄが必ず必要である為、第一の開口部１０５の範囲はガイド溝１０４ｄを超えて設けることはできなかった。
【００２１】
その為、図２０（ａ）（ｂ）に示すピックアップユニット１２７の対物レンズ１２８を含むアクチュエータ１２９の可動部分１２９ａは、外周に移動した場合でもカートリッジ１０２との干渉を避ける必要があることから、光ディスク１０１に近づけることができなかった。すなわち、アクチュエータ１２９の設計上の制約を受けるものであり、対物レンズ１２８、対物レンズホルダ、保持バネや磁気回路をカートリッジ１０２に干渉しないように構成する必要があり、性能面で特性が低下する原因があった。
【００２２】
さらに、ガイド溝１０４ｄは外部から見えるため、ゴミの付着によるシャッタ開閉動作への支障、デザイン上でも問題があった。
【００２３】
そこで、上記の種々の問題点を解消するために、図２１（ａ）（ｂ）に示すようなディスクカートリッジが提案されている。この図２１は、特開平５−８９６３０号公報に開示されているディスクカートリッジの斜視図であり、同図（ａ）は、ディスクカートリッジを上ハーフ側から見た斜視図、同図（ｂ）は、ディスクカートリッジを下ハーフ側から見た斜視図である。
【００２４】
上記公報に開示されたディスクカートリッジは、図２１（ａ）（ｂ）に示すように、シャッタ１０７をガイドするガイド溝が第一の開口部１０５が設けられたハーフ（シェル）１０４に形成されていないので、上記のような第一の開口部１０５近傍にガイド溝が設けられることによる不具合は生じない。
【００２５】
【発明が解決しようとする課題】
ところで、上記公報に開示されたディスクカートリッジでは、図２２に示すように、シャッタ１０７がカートリッジ１０２の上ハーフ１０３と下ハーフ１０４との接合部分に形成された空間１１０をシャッタ１０７のガイド溝としている。そして、シャッタ１０７は、シャッタ部１０７ａとガイド部１０７ｃとで、下ハーフ１０４の端部を挟み込むようにしてスライド自在に支持されている。このシャッタ部１０７ａとガイド部１０７ｃとの挟持力によって、シャッタ１０７はカートリッジ１０２から脱落しないようになっている。
【００２６】
しかしながら、上記公報に開示されたディスクカートリッジでは、上述のように、シャッタ１０７がシャッタ部１０７ａとガイド部１０７ｃとで下ハーフ１０４の端部を挟持しているだけなので、外部からの力によりカートリッジ１０２から脱落する虞がある。
【００２７】
そこで、シャッタ１０７がカートリッジ１０２からの脱落するのを防ぐ為に、シャッタ部１０７ａとガイド部１０７ｃとの挟持力を上げることが考えられる。
【００２８】
しかしながら、シャッタ部１０７ａとガイド部１０７ｃとの挟持力を上げれば、シャッタ１０７のスライドがスムーズに行えなくなるという問題が生じる。
【００２９】
本発明は、上記の各問題に鑑みなされたものであって、その目的は、シャッタのスライドがスムーズに行え、且つシャッタの脱落を確実に防止し得るディスクカートリッジを提供することにある。
【００３０】
【課題を解決するための手段】
上記の課題を解決するために、本発明のディスクカートリッジは、２つのシェルを重ね合わせた内部の空間に、記録媒体としてのディスクを収納し、上記シェルの何れか一方に上記ディスクの一部を露出させるための開口部が設けられると共に、上記開口部を開閉するためのシャッタがスライド自在に設けられたディスクカートリッジにおいて、上記シャッタは、上記開口部を覆うシャッタ部と、該シャッタ部につながり、該シャッタをスライド方向にガイドするガイド部とで構成され、上記ガイド部は、上記２つのシェルの重ね合わせたときの該シェル同士の対向部分で挟み込まれた状態で、シャッタのスライド方向に移動自在に支持されていることを特徴としている。
【００３１】
上記の構成によれば、シャッタを構成するガイド部が、２つのシェルの重ね合わせたときの該シェル同士の対向部分で挟み込まれた状態となっているので、シャッタの案内と脱落の防止とを図るためにシェルに設けられたガイド溝を用いなくても、シャッタのシェルからの脱落を防止することができる。
【００３２】
このように、シャッタ脱落防止用のガイド溝は必要ないので、シャッタ及びディスクカートリッジの構造を簡単にすることができると共に、ガイド溝の深さ分だけディスクカートリッジの厚みを薄くすることができるという効果を奏する。
【００３３】
しかも、シャッタのガイド部が、２つのシェルに挟み込まれた状態で支持されているので、ガイド部につながるシャッタ部はシャッタの支持に直接かかわらなくてもよい。つまり、従来のように、シャッタのシャッタ部とガイド部とで一方のシェルを挟み込む必要がなくなる。このため、シャッタのシャッタ部とガイド部とでシェルを挟み込んだときのような摩擦力が生じないので、シャッタのスライドをスムーズに行うことが可能となる。
【００３４】
本発明のディスクカートリッジは、上記の課題を解決するために、上シェルと下シェルを重ね合わせた内部の空間に、記録媒体としてのディスクを収納し、上記下シェルに上記ディスクの一部を露出させるための開口部が設けられると共に、上記開口部を開閉するためのシャッタがスライド自在に設けられたディスクカートリッジにおいて、上記シャッタは、上記開口部を覆うシャッタ部と該シャッタ部につながる垂直部分と該垂直部分につながるガイド部が断面略コの字形状に形成され、上記シャッタのガイド部は、上記上シェルの内部に該シェルの底面と平行な方向に形成された第一のガイド面と、上記下シェルの内部に該シェルの底面と平行な方向に形成された第一のガイド面とで挟まれ、上記シャッタの垂直部分は、上記下シェルの内部に上記シャッタのスライド方向に平行な方向に延びて形成された第二のガイド面と、上記上シェルの内部に該上シェルの側面と平行な方向に形成された第二のガイド面とで挟まれていることを特徴としている。
【００３５】
上記の構成によれば、シャッタのガイド部及び垂直部分は、上シェルの第一および第二のガイド面及び下シェルの第一および第二のガイド面によって形成された空間をスライドする為、従来のようにシャッタが脱落しないように設けられていたシャッタのツメ部と下シェルのガイド溝を設ける必要が無く、シャッタ及びディスクカートリッジの構造を簡単にすることができる。また、ガイド溝の深さの分だけディスクカートリッジの厚みを薄くすることができる。
【００３６】
また、シャッタのガイド部は、上シェルと下シェルに挟み込まれた構造であるので、上シェル面には、シャッタの開閉動作を行っても可動部分が存在しない。
【００３７】
このため、上シェル面に広範囲にラベル形成を行ってもシャッタの開閉動作によって該ラベルが遮蔽されることがない。たとえば、光ディスク記録再生装置の筐体が透明な部材で形成されている場合に、該ディスクカートリッジを該光ディスク記録再生装置に装填してシャッタが開の状態になった場合であっても、ラベル情報の内容の確認が可能となる。
【００３８】
また、シャッタを移動させるために上シェル面を平坦に構成しておく必要もなく、たとえば、点字用の凹凸部等を形成しておくことも可能となる。
【００３９】
さらに、従来の光ディスク記録再生装置のカートリッジホルダでは、ディスクカートリッジのシャッタが移動可能なように、例えば、上シェルのシャッタ移動範囲内に置いて、シャッタと接触する部材が存在しないように、ある一定の空隙部を設ける必要があったが、上記構成のディスクカートリッジでは、上シェル面にはシャッタは露出していないため、上シェル部分はカートリッジホルダあるいは光ディスク記録再生装置の一部の部材と接触した構造であっても許容される。
【００４０】
したがって、カートリッジホルダあるいは光ディスク記録再生装置への制約が少なくなり、また、装置の厚みを薄くすることができる。
【００４１】
上記開口部は、下シェルの底面と、該下シェルの第二のガイド面を有する側面とに連続的に形成されていてもよい。
【００４２】
この場合、下シェルに形成された開口部は、該下シェルの底面から前面まで開口されることになるため、ピックアップユニットのアクチュエータをディスクカートリッジ内の光ディスクにより近づけた状態で設計をすることができる。これにより、高性能のアクチュエータが設計できるとともに、高密度記録に対応したワーキングディスタンスの小さい対物レンズを有したピックアップユニットを配置することが可能となる。
【００４３】
また、上記下シェルの第二のガイド面は、ディスクカートリッジ外形より中央部側に入り込むように設けられていてもよい。
【００４４】
この場合、下シェルの第二のガイド面が、ディスクカートリッジ外形よりも中央部側に入り込んでいるため、ディスクカートリッジ外形を小さくできる。しかも、上記第二のガイド面に、シャッタの開閉に使用する突起した操作部を設けても、ディスクカートリッジ外形を大きくすることなく設けることができる。
【００４５】
また、上記シャッタの垂直部分に、ディスクカートリッジ外形方向に突出し、該シャッタの開閉に使用される突起部が設けられていてもよい。
【００４６】
この場合、シャッタの垂直部分に設けられた、該シャッタの開閉に使用される突起部は、従来例のようにシャッタに操作用に設けられた穴部とは異なり、シャッタが開口部を閉じた状態でも塵埃がシャッタ内部に侵入することはない。これにより、防塵効果が大きい信頼性の高いディスクカートリッジを提供することができる。
【００４７】
上記上シェルあるいは下シェルの第一および第二のガイド面に当接する当接面が、下シェルあるいは上シェルに設けられていてもよい。
【００４８】
この場合、上シェルの第一および第二のガイド面及び下シェルの第一および第二のガイド面に当接する当接面が、下シェルあるいは上シェルに設けられているので、シャッタがスライドするための空間、すなわち、シャッタのガイド部及び垂直部分は、上シェルの第一および第二のガイド面及び下シェルの第一および第二のガイド面によって形成された空間の寸法を所望する大きさに決めることが容易となる。
【００４９】
上記当接面は、下シェルあるいは上シェルに設けた第一あるいは第二のガイド面から連続的に設けられていてもよい。
【００５０】
この場合、当接面が、第一および第二のガイド面から設けられているため、シャッタがスライドする空間の寸法管理が当接面の高さ寸法管理をするだけで行えるものであり、より精度良く管理できる。また、第一のガイド面の上に当接面を設けている為、当接面が設けられたシェルの厚みがその分増したことになり、シェルの開口部を底面から前面まで切り欠いたとしても、強度的に丈夫なものにすることができる。
【００５１】
上記シャッタが、２枚構成であってもよい。
【００５２】
この場合、シャッタを２枚構成にすることで、下シェルに設けられた開口部のシャッタスライド方向の寸法を、ディスクカートリッジ外形のおおよそ半分弱程度まで大きくすることができるので、対応する光ディスク記録再生装置には高性能のアクチュエータを搭載することが可能となる。
【００５３】
上記シャッタが開口部を閉じた時に、該シャッタの移動をロックするロックレバーが設けられ、上記ロックレバーは、上記シャッタを上シェル側に付勢する方向にロックするようにしてもよい。
【００５４】
この場合、シャッタの閉時のロックレバーによるロックを上シェル側に付勢する方向に行うものであり、シャッタを下シェルの開口部に押し付ける方向となる為、防塵効果の大きい信頼性の高いカートリッジを提供することができる。
【００５５】
上記シャッタが開口部を閉じる方向に付勢するための付勢力を与えるバネが設けられていてもよい。
【００５６】
この場合、シャッタを閉鎖する方向にバネにて付勢されているので、シャッタの閉鎖が確実に行えると共に、防塵効果の大きい信頼性の高いカートリッジを提供することができる。
【００５７】
【発明の実施の形態】
〔実施の形態１〕
本発明の一実施の形態について説明すれば以下の通りである。
【００５８】
まず、本実施の形態に係るディスクカートリッジについて、図１〜図４を参照しながら以下に説明する。なお、本実施の形態では、内部に記録媒体として光ディスクを収納したＭＤ（ミニディスク）のディスクカートリッジについて説明する。以下の他の実施の形態においても同じである。
【００５９】
図１（ａ）は、ディスクカートリッジ（以下、カートリッジと称する）２を上方から見た場合の斜視図、同図（ｂ）は、下方から見た場合の斜視図であり、図２は、カートリッジ２の上シェルを分解した場合のカートリッジ２内部を上方から見た斜視図、図３は、カートリッジ２の上シェルを分解した場合のカートリッジ２内部を下方から見た斜視図である。また、図４は、シャッタ開時のカートリッジ２を下方から見た場合の斜視図である。
【００６０】
カートリッジ２は、図１（ａ）（ｂ）に示すように、上シェル３、下シェル４、シャッタ７等から構成されており、内部には、図２に示すように、ロックレバー８、誤記録防止レバー９及び情報信号が記録される光ディスク１等が収納されている。
【００６１】
上記下シェル４には、図４に示すように、光ディスク１を回転保持するスピンドルモータ（図示せず）および情報信号の記録あるいは再生を行うピックアップユニット２７（図７及び図８（ａ））が臨む第一の開口部５を有している。そして、カートリッジ２全体を後述の光ディスク記録再生装置に装着し、情報の記録再生を行うものである。図７は、図１（ａ）のＡ・Ａ線矢視断面図において、ピックアップユニット２７が第一の開口部５を臨んでいる状態を示す図である。図８（ａ）は、カートリッジ２を装着した状態の光ディスク記録再生装置２０の側面図である。
【００６２】
上記シャッタ７は、図１（ａ）（ｂ）及び図２に示すように、下シェル４側に露出して形成され、上記第一の開口部５を遮蔽するシャッタ部７ａ、該シャッタ部７ａにつながって形成されカートリッジ２の側面に露出した垂直部分７ｂ、該垂直部分７ｂにつながり、カートリッジ２の内部に折れ曲がって形成されたガイド部７ｃとからなり、全体として横から見て略コの字形状、すなわち断面略コの字形状に形成されている。
【００６３】
上記ガイド部７ｃには、後述するロックレバー８にロックされるロック部７ｄが設けられ、垂直部分７ｂには、後述するシャッタ７を開閉するためのオープンレバー２４（図８（ｂ））に操作される操作部７ｇを有した構成となっている。図８（ｂ）は、カートリッジ２の挿入状態を示す光ディスク記録再生装置の平面図である。
【００６４】
上記操作部７ｇは、垂直部分７ｂから突起した形状で、さらに中央部には窪みが設けられており、上記オープンレバー２４の先端部が入り込むようになっている。
【００６５】
上記上シェル３の内側には、図３に示すように、前記シャッタ７のガイド部７ｃと対向する第一のガイド面３ａと、前記シャッタ７の垂直部分７ｂと対向する第二のガイド面３ｂとが設けられている。
【００６６】
また、上記下シェル４の内側には、図２に示すように、前記シャッタ７のガイド部７ｃと対向する第一のガイド面４ａと、前記シャッタ７の垂直部分７ｂと対向する第二のガイド面４ｂとが設けられている。また、第一のガイド面４ａと第二のガイド面４ｂからは、前記上シェル３の第一のガイド面３ａと、第二のガイド面３ｂに当接する当接面４ｃが設けられている。
【００６７】
このように、下シェル４に、上シェル３の第一および第二のガイド面３ａ、３ｂに当接する当接面４ｃを設けている為、シャッタ７がスライドする為の空間、すなわち、上シェル３の第一のガイド面３ａ及び第二のガイド面３ｂと、下シェル４の第一のガイド面４ａ及び第二のガイド面４ｂとで囲まれた空間の寸法をきっちりと決めることができる。
【００６８】
また、当接面４ｃは、第一のガイド面４ａと第二のガイド面４ｂから設けられている。つまり、当接面４ｃは、下シェル４の第一のガイド面４ａ及び第二のガイド面４ｂから連続して設けられている。
【００６９】
このように、当接面４ｃを下シェル４の第一および第二のガイド面４ａ、４ｂから設けている為、シャッタ７がスライドする空間の寸法管理が当接面４ｃの高さ寸法管理をするだけで行えるものであり、より精度良く管理できる。
【００７０】
また、下シェル４の第一のガイド面４ａの上に当接面４ｃを設けている為、下シェル４の厚みがその分増したことになり、下シェル４の第一の開口部５を底面から前面まで切り欠いたとしても、強度的に丈夫なものにすることができる。
【００７１】
つまり、上記下シェル４の第一の開口部５は、従来例では底面のみの開口であったが、本実施の形態では、図４に示すように、カートリッジ２の側面、すなわち前記第二のガイド面４ｂの方向にも開口されている。すなわち、上記第一の開口部５は、下シェル４の底面と、該下シェル４の第二のガイド面４ｂを有する側面とに連続的に形成されている。このような場合でも、強度的に問題がない。
【００７２】
上記第二のガイド面４ｂ側の開口部は、通常、前記シャッタ７の垂直部分７ｂによって遮蔽されている。
【００７３】
上記のように、第一の開口部５をカートリッジ２底面から側面にわたり設けることで、図７に示すようにピックアップユニット２７のアクチュエータ２９を光ディスク１の外周部でも光ディスク１に近づけて配置することができるようになり、アクチュエータ２９の設計自由度が増し、高性能のアクチュエータ２９設計ができるものである。
【００７４】
上記シャッタ７のガイド部７ｃは、図５に示すように、上シェル３の第一のガイド面３ａと、下シェル４の第一のガイド面４ａに完全にサンドイッチされた構造になっており、また、シャッタ７の垂直部分７ｂの上半分は、上シェル３の第二のガイド面３ｂと、下シェル４の第二のガイド面４ｂにサンドイッチされた構造になっている。図５は、図１（ａ）のＡ・Ａ線矢視断面図である。
【００７５】
図５に示すように、下シェル４の上記当接面４ｃは、上記上シェル３の第一のガイド面３ａと、第二のガイド面３ｂに当接しており、この上下シェル３、４の第一および第二のガイド面３ａ、３ｂ、４ａ、４ｂでできた空間をガイドにしてシャッタ７がスライドする構成になっている。
【００７６】
このように、上記シャッタ７は、上シェル３の第一および第二のガイド面３ａ、３ｂ及び下シェル４の第一および第二のガイド面４ａ、４ｂによって形成された空間をスライドするため、図１７（ｂ）に示すように、従来のようにシャッタ１０７が脱落しないように設けられていたシャッタ１０７のツメ部１０７ｅと下シェル１０４のガイド溝１０４ｄを設ける必要が無く、シャッタ及びディスクカートリッジの構造を簡単にすることができる。また、ガイド溝１０４ｄの深さの分だけディスクカートリッジの厚みを薄くすることができる。
【００７７】
また、上記シャッタ７は、図５に示すように、垂直部分７ｂとシャッタ７とが上シェル３の第一のガイド面３ａ及び第二のガイド面３ｂと、下シェル４の第一のガイド面４ａとによってスライド方向にスライド可能に挟持されているので、シャッタ７がカートリッジ２から脱落する虞がない。つまり、シャッタ７のカートリッジ２からの脱落を防止するために、該シャッタ７のシャッタ部７ａとガイド部７ｃとで下シェル４を所定の圧力で挟み込む必要がないので、シャッタ７のスライドをスムーズに行うことが可能となる。
【００７８】
また、シャッタ７のガイド部７ｃが、上シェル３の外側面に露出せず、上シェル３と下シェル４とに挟み込まれた構造となっているので、シャッタ７の開閉動作を行っても、上シェル３側に影響はない。このため、上シェル３面に広範囲にラベル形成を行ってもシャッタ７の開閉動作によって該ラベルが遮蔽されることがない。たとえば、光ディスク記録再生装置２０の筐体が透明な部材で形成されている場合に、該カートリッジ２を該光ディスク記録再生装置２０に装填してシャッタ７が開の状態になった場合であっても、ラベル情報の内容の確認が可能となる。さらに、シャッタ７を移動させるために上シェル３面を平坦に構成しておく必要もないので、たとえば、点字用の凹凸部等を形成しておくことも可能となる。
【００７９】
また、従来構造のカートリッジホルダでは、シャッタが移動可能なように、たとえば、上シェルのシャッタ移動範囲内に置いて、シャッタと接触する部材が存在しないように、ある一定の空隙部を設ける必要があったが、上記構成のディスクカートリッジにおいては、上シェル３面にはシャッタ７は露出していないため、上シェル３部分はカートリッジホルダあるいは光ディスク記録再生装置の一部の部材と接触した構造であっても許容される。したがって、カートリッジホルダあるいは光ディスク記録再生装置への制約が少なくなり、また、装置の厚みを薄くすることができるという効果を奏する。
【００８０】
また、図５に示すように、上記構成のカートリッジ２は、下シェル４の第二のガイド面４ｂは、カートリッジ２の外形より中央側に入り込んだ構造となっている。
【００８１】
この第二のガイド面４ｂの入り込み量を、シャッタ７の厚みよりも大きくすれば、シャッタ７の垂直部分７ｂがカートリッジ２の側面からはみ出さないようにすることができ、この結果、シャッタ７の外形寸法を小さくすることが可能となる。
【００８２】
また、上記第二のガイド面４ｂに当接するシャッタ７の垂直部分７ｂには、操作部７ｇが外部に向け突出して形成されているので、この操作部７ｇがカートリッジ２の外形からはみ出さないように、上記の第二のガイド面４ｂの入り込み量を調整するのが好ましい。
【００８３】
しかも、操作部７ｇは貫通されていない窪みを有し、この窪みにシャッタ７の開閉用（操作用）のオープンレバー２４が挿入されるようになっているので、従来のように、シャッタに操作用（開閉用）の穴部（貫通穴）を設ける必要が無い為、上述したように前面が開口されていたとしても、シャッタが閉じた状態でも、穴部から塵埃が侵入することがなく防塵効果が大きい信頼性の高いカートリッジを提供することができる。
【００８４】
上記の下シェル４の第一のガイド面４ａの中央部側への入り込み量は、操作部７ｇをオープンレバー２４で引っ掛けて動作させるのに必要な量でよい。つまり、操作部７ｇの突出量を、該操作部７ｇにオープンレバー２４が引っ掛かり、シャッタ７の開閉動作を安定して行える量に設定すれば、この突出量に応じて、上記の第一のガイド面４ａの中央部側への入り込み量を調整するようにすればよい。
【００８５】
この場合、上記の入り込み量を、シャッタ７の板厚の５倍以上に設定することにより、操作部７ｇがオープンレバー２４に確実に引っ掛かり、シャッタ７の開閉動作を安定させることができる。この入り込み量が、シャッタ７の板厚の５倍よりも小さければ、カートリッジ２の外形から操作部７ｇがはみ出さないようにするには、操作部７ｇの突出量が不十分となり、オープンレバー２４が操作部７ｇにうまく引っかからず、シャッタ７の開閉動作が不安定になる。
【００８６】
なお、本実施の形態では、シャッタ７の板厚を０．２ｍｍとして、シャッタ７の垂直部分７ｂを中央部側に１．５ｍｍ（シャッタ７の板厚の７．５倍）入り込むように、該シャッタ７を形成している。
【００８７】
また、下シェル４の第一のガイド面４ａの中央部側への入り込み量の上限は、カートリッジ２内の光ディスク１の外形の外側までである。
【００８８】
なお、本実施の形態では、カートリッジ２の外形を５４ｍｍ×５８ｍｍ、光ディスク１のディスク径をφ５０．８ｍｍとしている。この場合、カートリッジ２は、光ディスク１のディスク径に対して各１．６ｍｍ（（５４−５０．８）／２）だけ大きく、シャッタ７側にさらに４ｍｍ（５８−５４）大きい構造となっている。故に、カートリッジ２及び光ディスク１が上記の条件のとき、下シェル４の第一のガイド面４ａが中央部側に入り込む量は、１ｍｍ〜５．６ｍｍの範囲に設定すればよい。但し、上限値の５．６ｍｍになると、カートリッジ２の下シェル４における第二のガイド面４ｂの構成を変更する必要がある。したがって、図２等で示した下シェル４の第二のガイド面４ｂの構造を同じにするには、該第二のガイド面４ｂの中央部側への入り込み量を３ｍｍ位までにするのが望ましい。
【００８９】
次に、図６を用いてロックレバー８の構造を説明する。図６は、図２において、ロックレバー８の収容部を示す部分拡大図である。
【００９０】
上記ロックレバー８は、バネ性を有する弾性体からなり、シャッタ７のロック部７ｄをロックするための係止部８ａ、後述するカートリッジホルダ２２に設けられた解除部材２３により押し下げられるテーパ部８ｂを有し、シャッタ７が閉じた状態では、シャッタ７のガイド部７ｃと下シェル４とにより挟まれた位置に配設されている。
【００９１】
シャッタ７が閉じた状態では、上下シェル３、４の内部に配置されたロックレバー８により、シャッタ７のロック部７ｄがロックされている。このときのロックは、上シェル３に押さえつける方向にロックレバー８は、バネ性による付勢力によって、結果としてシャッタ７のシャッタ部７ａを第一の開口部５に押さえ付け、密閉性の向上を図っている。
【００９２】
上記構造のカートリッジ２におけるシャッタ７の開閉動作を図６及び図８（ａ）（ｂ）を参照しながら以下に説明する。
【００９３】
図８（ａ）（ｂ）は、光ディスク記録再生装置２０にカートリッジ２を挿入する場合の動作を説明するための図であり、同図（ａ）は、平面図、同図（ｂ）は、側面図である。
【００９４】
はじめに、カートリッジ２を光ディスク記録再生装置２０に装着する為にカートリッジホルダ２２に挿入する。このために、まず、カートリッジホルダ２２に設けられた解除部材２３により、ロックレバー８のテーパ部８ｂが押し下げられ、シャッタ７のロック部７ｄがロックレバー８の係止部８ａからはずれることによりシャッタ７のロックが解除される。
【００９５】
次に、オープンレバー２４がシャッタ７の垂直部分７ｂに設けた操作部７ｇを引っ掛け、カートリッジ２の挿入動作に応じてシャッタ７を開く。閉じる場合はその反対の動作を行う。オープンレバー２４はバネ（図示せず）によってカートリッジ挿入側に戻るように付勢されており、シャッタ７を閉じるものである。
【００９６】
以下に、上記構造のカートリッジ２の組立方法について説明する。下シェル４に光ディスク１、ロックレバー８、誤記録防止レバー９、シャッタ７を挿入し、上シェル３を置き超音波溶着等の手段で固定するだけであり、従来のようにシャッタ７のツメ部７ｅをガイド溝４ｄに入れる為にシャッタ７を変形させて挿入する必要も無く、簡単に行えるものである。この上シェル３の溶着時に前記当接面４ｃと前記第一と第二のガイド面３ａ、３ｂを押し当てることにより、シャッタ７のスライドする空間が精度良く保てるものである。
【００９７】
このカートリッジ２の挿入方向に対してカートリッジ幅寸法は５４ｍｍ、奥行き寸法５８ｍｍ、厚み寸法は４ｍｍ、光ディスク径はφ５０．８ｍｍである。奥行き寸法を従来のカートリッジに比較して幅寸法からの増分を同じにして、シャッタ７の突起した操作部７ｇを設けることができる。
【００９８】
〔実施の形態２〕
本発明の他の実施の形態について説明すれば以下の通りである。なお、本実施の形態では、前記実施の形態１と異なる部分のみを説明する。
【００９９】
本実施の形態にかかるディスクカートリッジについて、図９（ａ）（ｂ）及び図１０を参照しながら以下に説明する。
【０１００】
図９（ａ）は、本実施の形態にかかるディスクカートリッジを上方から見た斜視図であり、図９（ｂ）は、本実施の形態にかかるディスクカートリッジを下方から見た斜視図である。
【０１０１】
本実施の形態にかかるディスクカートリッジは、前記実施の形態１のディスクカートリッジと装置（光ディスク記録再生装置２０）への挿入方向が異なるものである。つまり、前記実施の形態１では、光ディスク１を露出させるカートリッジ２の第一の開口部５の方向が該カートリッジ２の挿入方向の前面方向に形成されていたが、本実施の形態では、側面方向に形成されている。これは、従来例と同じ方向である。
【０１０２】
すなわち、本実施の形態にかかるカートリッジ２のシャッタ７のガイド部７ｃは、上シェル３の第一のガイド面３ａと、下シェル４の第一のガイド面４ａにサンドイッチされた構造になっており、シャッタ７の垂直部分７ｂは上シェル３の第二のガイド面３ｂと、下シェル４の第二のガイド面４ｂにサンドイッチされた構造になっていること、第一の開口部５がシャッタ７の側面まで開口していること、シャッタ７の垂直部分７ｂがカートリッジ２の外形よりもシャッタ７の板厚の５倍以上中央部に入り込んだ構造になっていること、ロックレバー８によるシャッタ７のロックはロックレバー８のバネ性で上シェル３に押さえつける方向に付勢していること等は前記実施の形態１と同じである。
【０１０３】
前記実施の形態１と異なるのは、カートリッジ２の第一の開口部５の形成位置であり、カートリッジホルダ２２への挿入方向が異なる。また、シャッタ７を開閉する部材として、前記実施の形態１では、カートリッジ２の挿入方向の正面からシャッタ７を開閉するためのオープンレバー２４を使用していたが、本実施の形態では、図９（ａ）（ｂ）に示すように、カートリッジ２の挿入方向の側面側からシャッタ７を開閉するためのオープンレバー４４が使用される。
【０１０４】
このカートリッジ２を装置に装着する場合、カートリッジホルダ２２に挿入するが、まず、カートリッジホルダ２２に設けられたシャッタ７開閉用のバネ性を有したオープンレバー４４の先端に設けられた突起部４４ａがシャッタ７の操作部７ｇに入ると同時に、該オープンレバー４４に設けられた解除部材４３により、ロックレバー８のテーパ部８ｂを押し下げシャッタ７のロックを解除する。そしてシャッタ７をカートリッジホルダ２２の所定の位置で保持する。
【０１０５】
その後、カートリッジ２の押し込み動作にて、該カートリッジ２本体は奥へ挿入されるが、シャッタ７はその位置で保持されているので、相対的にシャッタ７が開くことになる。
【０１０６】
閉まる場合は、上記オープンレバー４４の突起部４４ａがシャッタ７の操作部７ｇに入り込んでいる為、カートリッジ２は挿入方向と反対方向に引き抜かれてもシャッタ７はその位置で保持され、シャッタ７がカートリッジ２の閉の位置にきた時に、前記解除部材４３がシャッタ７から遠ざかり、ロックレバー８によってシャッタ７がロックされ、突起部４４ａがシャッタ７の操作部７ｇから乗り上げ、その後、カートリッジ２全体がカートリッジホルダ２２から引き抜かれる。
【０１０７】
このように、シャッタ７の開閉方向が既存のディスクカートリッジと同じであれば、既存の光ディスク記録再生装置を流用しやすいという利点を有している。
【０１０８】
なお、本実施の形態において、シャッタ７の垂直部分７ｂがカートリッジ２の外形よりもシャッタ７の板厚の５倍以上中央部に入り込んだ構造、すなわち下シェル４の第二のガイド面４ｂの中央部側へのカートリッジ２の外形からの入り込み量が、シャッタ７の板厚の５倍以上となっている構造について説明しているが、前記実施の形態１と同様に、上記入り込み量がシャッタ７の板厚の５倍以上に設定することにより、操作部７ｇがオープンレバー２４に確実に引っ掛かり、シャッタ７の開閉動作を安定させることができる。この入り込み量が、シャッタ７の板厚の５倍よりも小さければ、カートリッジ２の外形から操作部７ｇがはみ出さないようにするには、操作部７ｇの突出量が不十分となり、オープンレバー２４が操作部７ｇにうまく引っかからず、シャッタ７の開閉動作が不安定になる。
【０１０９】
なお、本実施の形態では、前記実施の形態１と同様に、シャッタ７の板厚を０．２ｍｍとして、シャッタ７の垂直部分７ｂを中央部側に１．５ｍｍ（シャッタ７の板厚の７．５倍）入り込むように、該シャッタ７を形成している。
【０１１０】
また、下シェル４の第一のガイド面４ａの中央部側への入り込み量の上限は、カートリッジ２内の光ディスク１の外形の外側までである。
【０１１１】
なお、本実施の形態では、前記実施の形態１と同様に、カートリッジ２の外形を５４ｍｍ×５８ｍｍ、光ディスク１のディスク径をφ５０．８ｍｍとしている。この場合、カートリッジ２は、光ディスク１のディスク径に対して各１．６ｍｍ（（５４−５０．８）／２）だけ大きく、シャッタ７側にさらに４ｍｍ（５８−５４）大きい構造となっている。故に、カートリッジ２及び光ディスク１が上記の条件のとき、下シェル４の第一のガイド面４ａが中央部側に入り込む量は、１ｍｍ〜５．６ｍｍの範囲に設定すればよい。但し、上限値の５．６ｍｍになると、カートリッジ２の下シェル４における第二のガイド面４ｂの構成を変更する必要がある。したがって、図２等で示した下シェル４の第二のガイド面４ｂの構造を同じにするには、該第二のガイド面４ｂの中央部側への入り込み量を３ｍｍ位までにするのが望ましい。
【０１１２】
〔実施の形態３〕
本発明のさらに他の実施の形態について説明すれば以下の通りである。
【０１１３】
本実施の形態にかかるディスクカートリッジは、前記の各実施の形態とは異なり、シャッタを２枚構造にすることで、光ディスクを露出させるための第一の開口部５の開口を大きくするようになっている。
【０１１４】
まず、本実施の形態に係るディスクカートリッジについて、図１１〜図１４を参照しながら以下に説明する。
【０１１５】
図１１（ａ）は、ディスクカートリッジ（以下、カートリッジと称する）３２を上方から見た場合の外形斜視図、同図（ｂ）は、下方から見た場合の外形斜視図であり、図１２は、カートリッジ３２の上シェルを分解した場合のカートリッジ３２内部を上方から見た斜視図、図１３は、カートリッジ３２の上シェルを分解した場合のカートリッジ３２内部を下方から見た斜視図である。また、図１４は、シャッタ開時のカートリッジ３２を下方から見た場合の斜視図である。
【０１１６】
カートリッジ３２は、図１１（ａ）（ｂ）に示すように、上シェル３３、下シェル３４、シャッタ３７等から構成されており、内部には、図１２に示すように、ロックレバー３８、誤記録防止レバー３９及び情報信号が記録される光ディスク３１等が収納されている。
【０１１７】
上記下シェル３４には、図１４に示すように、光ディスク３１を回転保持するスピンドルモータ（図示せず）および情報信号の記録あるいは再生を行うピックアップユニット２７（図７及び図８（ａ））が臨む第一の開口部３５を有している。そして、カートリッジ３２全体を後述の光ディスク記録再生装置に装着し、情報の記録再生を行うものである。
【０１１８】
ここまでのディスクカートリッジの基本構造は、前記実施の形態１とほぼ同じである。つまり、上シェル３３に関しては、前記実施の形態１の上シェル３と全く同じと考えてよいが、下シェル３４に関しては、第一の開口部３５及びシャッタ３７の構造が、前記実施の形態１の下シェル４の第一の開口部５及びシャッタ７と異なる。
【０１１９】
上記シャッタ３７は、カートリッジ３２の下シェル３４に形成された第一の開口部３５を覆うためにシャッタスライド方向に２枚設けられている。これにより、第一の開口部３５のシャッタスライド方向の寸法を大きくすることができ、ピックアップユニット２７のアクチュエータ２９を大きくすることができる等の設計自由度が増し、高性能のアクチュエータ２９の設計が可能となる。
【０１２０】
上記シャッタ３７の詳細な構造について、図１５及び図１６を参照しながら以下に説明する。図１５は、図１１（ａ）のＢ・Ｂ線矢視断面図を示し、図１６は、本実施の形態にかかるカートリッジ３２の下シェル３４の要部の構成を示す斜視図である。
【０１２１】
上記各シャッタ３７のシャッタ部３７ａからつながるガイド部３７ｃは、図１５に示すように、上シェル３３の第一のガイド面３３ａと、下シェル３４の第一のガイド面３４ａにサンドイッチされた構造になっており、各シャッタ３７の垂直部分３７ｂは、上シェル３３の第二のガイド面３３ｂと、下シェル３４の第二のガイド面３４ｂにサンドイッチされた構造になっている。
【０１２２】
また、下シェル３４の第一の開口部３５がシャッタ３７の側面まで開口していること、下シェル３４の第二のガイド面３４ｂがカートリッジ３２の外形よりも中央部側に入り込んだ構造になっていること、ロックレバー３８によるシャッタ３７のロックはロックレバー３８のバネ性で上シェル３３に押さえつける方向に付勢していること等は前記実施の形態１のカートリッジ２と同じである。
【０１２３】
したがって、下シェル３４の第二のガイド面３４ｂが中央部側に入り込む量は、シャッタ３７の板厚の５倍以上が好ましい。この場合、上記の入り込み量を、シャッタ３７の板厚の５倍以上に設定することにより、操作部３７ｇがオープンレバー２４に確実に引っ掛かり、シャッタ３７の開閉動作を安定させることができる。この入り込み量が、シャッタ３７の板厚の５倍よりも小さければ、カートリッジ３２の外形から操作部３７ｇがはみ出さないようにするには、操作部３７ｇの突出量が不十分となり、オープンレバー２４が操作部３７ｇにうまく引っかからず、シャッタ３７の開閉動作が不安定になる。
【０１２４】
以上のように、本実施の形態にかかるカートリッジ３２のシャッタ３７の構造は、２枚構造になっているだけで、基本的な構造が前記実施の形態１のシャッタ７と同じである。
【０１２５】
しかしながら、シャッタ３７が２枚構造であるがゆえに、開閉動作に必要な構成要素が前記実施の形態１のカートリッジ２と異なる。
【０１２６】
つまり、下シェル３４には、図１６に示すように、操作部３７ｇを有する１枚目のシャッタ３７には閉じる方向に付勢する戻しバネ１１が設けられている。２枚目のシャッタ３７は、１枚目のシャッタ３７に連動部３７ｈを駆動されることによって、開閉動作を行うものである。
【０１２７】
このように、上記のカートリッジ３２は、前記シャッタ３７が閉じる方向に付勢力を与える戻しバネ１１を有しているので、シャッタ３７を閉鎖する方向にこの戻しバネ１１にて付勢され、シャッタ３７の閉鎖を確実に行うことができると共に、防塵効果の大きい信頼性の高いカートリッジ３２にすることができる。
【０１２８】
以上のように、シャッタ３７が２枚であっても、その開閉動作は、基本的に前記実施の形態１におけるシャッタ７の開閉動作と同じである。よって、その詳細な説明は省略する。
【０１２９】
本実施の形態において、上記のカートリッジ３２の挿入方向に対してカートリッジ幅寸法は５４ｍｍ、奥行き寸法５８ｍｍ、厚み寸法は５ｍｍである。また、第一の開口部３５のシャッタスライド方向の寸法は２４．８ｍｍである。
【０１３０】
上記カートリッジ３２において、２枚のシャッタ３７が閉じた時にロックするロックレバー３８を設け、ロックレバー３８は前記シャッタ３７を上シェル３３側に付勢する方向にロックするようになっている。
【０１３１】
このように、シャッタ３７の閉時のロックレバー３８によるロックを上シェル３３側に付勢する方向に行うようにすれば、シャッタ３７を下シェル３４の第一の開口部３５に押し付ける方向となる為、防塵効果の大きい信頼性の高いカートリッジ３２を提供することができる。
【０１３２】
以上の各実施の形態１〜３において、カートリッジの挿入方向やそれに伴うロックレバーの形状、戻しバネの有無、シャッタの枚数等の組合せは自由であり、各実施の形態に制限されるものではない。
【０１３３】
また、上記の各実施の形態では、本発明を、記録媒体として光ディスクを収納したＭＤのディスクカートリッジに適用した場合について説明したが、これに限定されるものではなく、例えば光磁気ディスクが収納されたＭＤやＭＯ（magneto-optical disc）のディスクカートリッジにも適用可能である。また、ＤＶＤ(Digital Versatile Disc)−ＲＯＭやＲＡＭが収納されたディスクカートリッジにも適用可能である。
【０１３４】
【発明の効果】
以上のように、本発明のディスクカートリッジは、本発明のディスクカートリッジは、２つのシェルを重ね合わせた内部の空間に、記録媒体としてのディスクを収納し、上記シェルの何れか一方に上記ディスクの一部を露出させるための開口部が設けられると共に、上記開口部を開閉するためのシャッタがスライド自在に設けられたディスクカートリッジにおいて、上記シャッタは、上記開口部を覆うシャッタ部と、該シャッタ部につながり、該シャッタをスライド方向にガイドするガイド部とで構成され、上記ガイド部は、上記２つのシェルの重ね合わせたときの該シェル同士の対向部分で挟み込まれた状態で、シャッタのスライド方向に移動自在に支持されている構成である。
【０１３５】
それゆえ、シャッタを構成するガイド部が、２つのシェルの重ね合わせたときの該シェル同士の対向部分で挟み込まれた状態となっているので、シャッタの案内と脱落の防止とを図るためにシェルに設けられたガイド溝を用いなくても、シャッタのシェルからの脱落を防止することができる。
【０１３６】
このように、シャッタ脱落防止用のガイド溝は必要ないので、シャッタ及びディスクカートリッジの構造を簡単にすることができると共に、ガイド溝の深さ分だけディスクカートリッジの厚みを薄くすることができる。
【０１３７】
しかも、シャッタのガイド部が、２つのシェルに挟み込まれた状態で支持されているので、ガイド部につながるシャッタ部はシャッタの支持に直接かかわらなくてもよい。つまり、従来のように、シャッタのシャッタ部とガイド部とで一方のシェルを挟み込む必要がなくなる。このため、シャッタのシャッタ部とガイド部とでシェルを挟み込んだときのような摩擦力が生じないので、シャッタのスライドをスムーズに行うことができるという効果を奏する。
【０１３８】
本発明のディスクカートリッジは、以上のように、上シェルと下シェルを重ね合わせた内部の空間に、記録媒体としてのディスクを収納し、上記下シェルに上記ディスクの一部を露出させるための開口部が設けられると共に、上記開口部を開閉するためのシャッタがスライド自在に設けられたディスクカートリッジにおいて、上記シャッタは、上記開口部を覆うシャッタ部と該シャッタ部につながる垂直部分と該垂直部分につながるガイド部が断面略コの字形状に形成され、上記シャッタのガイド部は、上記上シェルの内部に該シェルの底面と平行な方向に形成された第一のガイド面と、上記下シェルの内部に該シェルの底面と平行な方向に形成された第一のガイド面とで挟まれ、上記シャッタの垂直部分は、上記下シェルの内部に上記シャッタのスライド方向に平行な方向に延びて形成された第二のガイド面と、上記上シェルの内部に該上シェルの側面と平行な方向に形成された第二のガイド面とで挟まれている構成である。
【０１３９】
それゆえ、シャッタのガイド部及び垂直部分は、上シェルの第一および第二のガイド面及び下シェルの第一および第二のガイド面によって形成された空間をスライドする為、従来のようにシャッタが脱落しないように設けられていたシャッタのツメ部と下シェルのガイド溝を設ける必要が無く、シャッタ及びディスクカートリッジの構造を簡単にすることができる。また、ガイド溝の深さの分だけディスクカートリッジの厚みを薄くすることができる。
【０１４０】
また、シャッタのガイド部は、上シェルと下シェルに挟み込まれた構造であるので、上シェル面には、シャッタの開閉動作を行っても可動部分が存在しない。
【０１４１】
このため、上シェル面に広範囲にラベル形成を行ってもシャッタの開閉動作によって該ラベルが遮蔽されることがない。たとえば、光ディスク記録再生装置の筐体が透明な部材で形成されている場合に、該ディスクカートリッジを該光ディスク記録再生装置に装填してシャッタが開の状態になった場合であっても、ラベル情報の内容を確認可能となる。
【０１４２】
また、シャッタを移動させるために上シェル面を平坦に構成しておく必要もなく、たとえば、点字用の凹凸部等を形成しておくことも可能となる。
【０１４３】
さらに、従来の光ディスク記録再生装置のカートリッジホルダでは、ディスクカートリッジのシャッタが移動可能なように、例えば、上シェルのシャッタ移動範囲内に置いて、シャッタと接触する部材が存在しないように、ある一定の空隙部を設ける必要があったが、上記構成のディスクカートリッジでは、上シェル面にはシャッタは露出していないため、上シェル部分はカートリッジホルダあるいは光ディスク記録再生装置の一部の部材と接触した構造であっても許容される。
【０１４４】
したがって、カートリッジホルダあるいは光ディスク記録再生装置への制約が少なくなり、また、装置の厚みを薄くすることができるという効果を奏する。
【０１４５】
上記開口部は、下シェルの底面と、該下シェルの第二のガイド面を有する側面とに連続的に形成されていてもよい。
【０１４６】
この場合、下シェルに形成された開口部は、該下シェルの底面から前面まで開口されることになるため、ピックアップユニットのアクチュエータをディスクカートリッジ内の光ディスクにより近づけた状態で設計をすることができる。これにより、高性能のアクチュエータが設計できるとともに、高密度記録に対応したワーキングディスタンスの小さい対物レンズを有したピックアップユニットを配置することができるという効果を奏する。
【０１４７】
また、上記下シェルの第二のガイド面は、ディスクカートリッジ外形より中央部側に入り込むように設けられていてもよい。
【０１４８】
この場合、下シェルの第二のガイド面が、ディスクカートリッジ外形よりも中央部側に入り込んでいるため、ディスクカートリッジ外形を小さくできる。しかも、上記第二のガイド面に、シャッタの開閉に使用する突起した操作部を設けても、ディスクカートリッジ外形を大きくすることなく設けることができるという効果を奏する。
【０１４９】
また、上記シャッタの垂直部分に、ディスクカートリッジ外形方向に突出し、該シャッタの開閉に使用される突起部が設けられていてもよい。
【０１５０】
この場合、シャッタの垂直部分に設けられた、該シャッタの開閉に使用される突起部は、従来例のようにシャッタに操作用に設けられた穴部とは異なり、シャッタが開口部を閉じた状態でも塵埃がシャッタ内部に侵入することはない。これにより、防塵効果が大きい信頼性の高いディスクカートリッジを提供することができるという効果を奏する。
【０１５１】
上記上シェルあるいは下シェルの第一および第二のガイド面に当接する当接面が、下シェルあるいは上シェルに設けられていてもよい。
【０１５２】
この場合、上シェルの第一および第二のガイド面及び下シェルの第一および第二のガイド面に当接する当接面が、下シェルあるいは上シェルに設けられているので、シャッタがスライドするための空間、すなわち、シャッタのガイド部及び垂直部分は、上シェルの第一および第二のガイド面及び下シェルの第一および第二のガイド面によって形成された空間の寸法を所望する大きさに決めることが容易となるという効果を奏する。
【０１５３】
上記当接面は、下シェルあるいは上シェルに設けた第一あるいは第二のガイド面から連続的に設けられていてもよい。
【０１５４】
この場合、当接面が、第一および第二のガイド面から設けられているため、シャッタがスライドする空間の寸法管理が当接面の高さ寸法管理をするだけで行えるものであり、より精度良く管理できる。また、第一のガイド面の上に当接面を設けている為、当接面が設けられたシェルの厚みがその分増したことになり、シェルの開口部を底面から前面まで切り欠いたとしても、強度的に丈夫なものにすることができるという効果を奏する。
【０１５５】
上記シャッタが、２枚構成であってもよい。
【０１５６】
この場合、シャッタを２枚構成にすることで、下シェルに設けられた開口部のシャッタスライド方向の寸法を、ディスクカートリッジ外形のおおよそ半分弱程度まで大きくすることができるので、対応する光ディスク記録再生装置には高性能のアクチュエータを搭載することができるという効果を奏する。
【０１５７】
上記シャッタが開口部を閉じた時に、該シャッタの移動をロックするロックレバーが設けられ、上記ロックレバーは、上記シャッタを上シェル側に付勢する方向にロックするようにしてもよい。
【０１５８】
この場合、シャッタの閉時のロックレバーによるロックを上シェル側に付勢する方向に行うものであり、シャッタを下シェルの開口部に押し付ける方向となる為、防塵効果の大きい信頼性の高いカートリッジを提供することができるという効果を奏する。
【０１５９】
上記シャッタが開口部を閉じる方向に付勢するための付勢力を与えるバネが設けられていてもよい。
【０１６０】
この場合、シャッタを閉鎖する方向にバネにて付勢されているので、シャッタの閉鎖が確実に行えると共に、防塵効果の大きい信頼性の高いカートリッジを提供することができるという効果を奏する。
【図面の簡単な説明】
【図１】本発明の一実施の形態にかかるディスクカートリッジを示し、（ａ）はディスクカートリッジを上方から見た斜視図、（ｂ）はディスクカートリッジを下方から見た斜視図である。
【図２】図１（ａ）に示したディスクカートリッジの分解斜視図である。
【図３】図１（ｂ）に示したディスクカートリッジの分解斜視図である。
【図４】図１（ｂ）に示したディスクカートリッジのシャッタ開放状態を示す斜視図である。
【図５】図１（ａ）のＡ・Ａ線矢視断面図である。
【図６】図２に示したディスクカートリッジの下シェルの要部を示す図である。
【図７】図５に示したディスクカートリッジにおいて、シャッタが開放され、アクチュエータが挿入されている状態を示す断面図である。
【図８】光ディスク記録再生装置を示し、（ａ）は側面図、（ｂ）は平面図である。
【図９】本発明の他の実施の形態にかかるディスクカートリッジを示し、（ａ）はディスクカートリッジを上方から見た斜視図、（ｂ）はディスクカートリッジを下方から見た斜視図である。
【図１０】図９（ａ）に示したディスクカートリッジの分解斜視図である。
【図１１】本発明のさらに他の実施の形態にかかるディスクカートリッジを示し、（ａ）はディスクカートリッジを上方から見た斜視図、（ｂ）はディスクカートリッジを下方から見た斜視図である。
【図１２】図１１（ａ）に示したディスクカートリッジの分解斜視図である。
【図１３】図１１（ｂ）に示したディスクカートリッジの分解斜視図である。
【図１４】図１１（ｂ）に示したディスクカートリッジのシャッタ開放状態を示す斜視図である。
【図１５】図１１（ａ）のＢ・Ｂ線矢視断面図である。
【図１６】図１２に示したディスクカートリッジの下シェルの要部を示す図である。
【図１７】従来のディスクカートリッジを示し、（ａ）は平面図、（ｂ）は底面図、（ｃ）は側面図である。
【図１８】カートリッジのカートリッジホルダへの挿入途中の状態を示し、（ａ）は平面図、（ｂ）は側面図である。
【図１９】図１７（ｂ）のＣ・Ｃ線矢視断面図である。
【図２０】光ディスク記録再生装置を示し、（ａ）は平面図、（ｂ）は側面図である。
【図２１】従来のディスクカートリッジを示し、（ａ）はディスクカートリッジを上方から見た斜視図、（ｂ）はディスクカートリッジを下方から見た斜視図である。
【図２２】図２１（ａ）（ｂ）に示すディスクカートリッジにおけるシャッタの取り付け構造を示す要部断面図である。
【符号の説明】
１    光ディスク
２    カートリッジ（ディスクカートリッジ）
３    上シェル
３ａ  第一のガイド面
３ｂ  第二のガイド面
４    下シェル
４ａ  第一のガイド面
４ｂ  第二のガイド面
４ｃ  当接面
４ｄ  ガイド溝
５    第一の開口部
７    シャッタ
７ａ  シャッタ部
７ｂ  垂直部分
７ｃ  ガイド部
７ｄ  ロック部
７ｅ  ツメ部
７ｇ  操作部
８    ロックレバー
８ａ  係止部
８ｂ  テーパ部
９    誤記録防止レバー
１１    戻しバネ
２０    光ディスク記録再生装置
２２    カートリッジホルダ
２３    解除部材
２４    オープンレバー
２７    ピックアップユニット
２９    アクチュエータ
３１    光ディスク
３２    カートリッジ（ディスクカートリッジ）
３３    上シェル
３３ａ  第一のガイド面
３３ｂ  第二のガイド面
３４    下シェル
３４ａ  第一のガイド面
３４ｂ  第二のガイド面
３５    第一の開口部
３７    シャッタ
３７    シャッタ部
３７ｂ  垂直部分
３７ｃ  ガイド部
３７ｇ  操作部
３７ｈ  連動部
３８    ロックレバー
３９    誤記録防止レバー
４３    ロック解除部材
４３    解除部材
４４    オープンレバー
４４ａ  突起部
【図１】
0004236866.tif 000002
【図２】
0004236866.tif 000003
【図３】
0004236866.tif 000004
【図４】
0004236866.tif 000005
【図５】
0004236866.tif 000006
【図６】
0004236866.tif 000007
【図７】
0004236866.tif 000008
【図８】
0004236866.tif 000009
【図９】
0004236866.tif 000010
【図１０】
0004236866.tif 000011
【図１１】
0004236866.tif 000012
【図１２】
0004236866.tif 000013
【図１３】
0004236866.tif 000014
【図１４】
0004236866.tif 000015
【図１５】
0004236866.tif 000016
【図１６】
0004236866.tif 000017
【図１７】
0004236866.tif 000018
【図１８】
0004236866.tif 000019
【図１９】
0004236866.tif 000020
【図２０】
0004236866.tif 000021
【図２１】
0004236866.tif 000022
【図２２】
0004236866.tif 000023